(57)【要約】【課題】従来にないシャワー吐水が実現される散水ノズルの提供。【解決手段】散水ノズル１００は、吐水スクリーン１１４を有する外筒１０４と、供給流路１２２を有する内筒１０６とを備えている。吐水スクリーン１１４は、内側領域Ａ１と、外周領域Ａ２とを有している。外筒１０４は、内側領域Ａ１に連通する第１流路ＷＲ１と、外周領域Ａ２に連通する第２流路ＷＲ２とを有する。外筒１０４と内筒１０６との相対回転により、外筒１０４が内筒１０６に対して前後方向に相対移動しうる。この相対移動により、上記供給流路の水が上記第１流路に至る状態と、上記供給流路の水が上記第２流路に至る状態とが選択可能とされている。内側領域Ａ１に、シャワー孔ｈ１が設けられている。上記相対移動に基づき、内側領域Ａ１からの吐水量が連続的及び／又は段階的に変化しうるように構成されている。【選択図】図１
2013081915.tif 000002
【特許請求の範囲】
【請求項１】
吐水スクリーンを有する外筒と、供給流路を有する内筒とを備えており、
上記吐水スクリーンが、内側領域と、外周領域とを有し、
上記外筒が、上記内側領域に連通する第１流路と、上記外周領域に連通する第２流路と、ネジ部とを有し、
上記内筒が、ネジ部を有し、
上記外筒のネジ部と上記内筒のネジ部とがネジ結合を形成しており、
上記外筒と上記内筒との相対回転により、上記外筒が上記内筒に対して前後方向に相対移動し、
この相対移動により、上記供給流路の水が上記第１流路に至る状態と、上記供給流路の水が上記第２流路に至る状態とが選択可能とされており、
上記内側領域に、シャワー孔が設けられており、
上記相対移動に基づき、上記内側領域からの吐水量が連続的及び／又は段階的に変化しうるように構成されている散水ノズル。
【請求項２】
上記外周領域に、シャワー孔が設けられている請求項１に記載の散水ノズル。
【請求項３】
上記相対移動に基づき、上記外周領域からの吐水量が連続的及び／又は段階的に変化しうるように構成されている請求項１又は２に記載の散水ノズル。
【請求項４】
上記吐水スクリーンが、上記外周領域の外側に位置する外縁領域を更に有し、
上記外縁領域が、環状開口部を有し、
上記外周領域が、ストレート孔を更に有し、
上記外筒が、上記外縁領域に連通する第３流路と、上記ストレート孔に連通する第４流路とを更に有し、
上記相対移動により、上記供給流路の水が上記第１流路に至る状態と、上記供給流路の水が上記第２流路に至る状態と、上記供給流路の水が上記第３流路に至る状態と、上記供給流路の水が上記第４流路に至る状態とが選択可能とされている請求項１から３のいずれかに記載の散水ノズル。
【請求項５】
上記相対移動に基づき、上記内側領域からの吐水量が連続的に変化しうるように構成されている請求項１から４のいずれかに記載の散水ノズル。
【請求項６】
飛水距離に関わらず、上記内側領域からの吐水の着水範囲は、上記外側領域からの吐水の着水範囲よりも狭い請求項１から５に記載の散水ノズル。
【発明の詳細な説明】
【技術分野】
【０００１】
本発明は、散水ノズルに関する。
【背景技術】
【０００２】
散水ノズルは、園芸、清掃、洗車など、様々な用途で用いられている。また、吐水形状の切り替えが可能な散水ノズルが知られている。
【０００３】
特公平４−３９３８６号公報は、多孔板の中央に露出孔が設けられた散水ノズルが開示されている。この散水ノズルでは、この露出孔からキリ状又はストレート状の水が噴出され、この露出孔の外周に位置する多孔板からは、シャワー状又はジョロ状の水が噴出される。
【０００４】
特開２０００−３７６４１号公報は、中央領域、中間領域及び周辺領域を有するシャワーヘッドを開示する。このシャワーヘッドでは、中央領域のみを吐水するか、中央領域及び中間領域を吐水するか、あるいはこれら３領域全てを吐水するかが、選択できる。この選択は、吐水部を回転させることによって達成される。
【先行技術文献】
【特許文献】
【０００５】
【特許文献１】特公平４−３９３８６号公報
【特許文献２】特開２０００−３７６４１号公報
【発明の概要】
【発明が解決しようとする課題】
【０００６】
特公平４−３９３８６号公報では、シャワー水形及びジョロ水形以外に、ストレート状水形及びキリ状水形が実現され、水形の種類が多い。このため高い利便性が達成されている。ただし、スクリーンの外周領域から広範囲にシャワー吐水がなされるため、勢いのあるシャワー吐水又は狭い範囲へのシャワー吐水が困難であった。また、ストレート吐水は水が分散しておらず且つ勢いがあるため、水圧が高い場合、水はねが生じやすい。特開２０００−３７６４１号公報はシャワーのパターンが３種類のみであった。また、シャワーヘッドにおいて吐水流量の調節ができないため、吐水領域が広がると吐水の勢いが減少し、吐水領域が狭くなると吐水の勢いが増加するため、吐水の調節自由度が低かった。
【０００７】
本発明の目的は、従来にないシャワー吐水を実現しうる散水ノズルの提供にある。
【課題を解決するための手段】
【０００８】
本発明の散水ノズルは、吐水スクリーンを有する外筒と、供給流路を有する内筒とを備えている。上記吐水スクリーンは、内側領域と、外周領域とを有している。上記外筒は、上記内側領域に連通する第１流路と、上記外周領域に連通する第２流路と、ネジ部とを有している。上記内筒は、ネジ部を有している。上記外筒のネジ部と上記内筒のネジ部とがネジ結合を形成している。上記外筒と上記内筒との相対回転により、上記外筒が上記内筒に対して前後方向に相対移動しうる。この相対移動により、上記供給流路の水が上記第１流路に至る状態と、上記供給流路の水が上記第２流路に至る状態とが選択可能とされている。上記内側領域には、シャワー孔が設けられている。上記相対移動に基づき、上記内側領域からの吐水量が連続的に変化しうるように構成されている。
【０００９】
好ましくは、上記外周領域に、シャワー孔が設けられている。
【００１０】
好ましくは、上記相対移動に基づき、上記外周領域からの吐水量が連続的に変化しうるように構成されている。
【００１１】
好ましくは、上記吐水スクリーンは、上記外周領域の外側に位置する外縁領域を更に有している。好ましくは、上記外縁領域は、環状開口部を有する。好ましくは、上記外周領域は、ストレート孔を更に有している。好ましくは、上記外筒が、上記外縁領域に連通する第３流路と、上記ストレート孔に連通する第４流路とを更に有している。上記相対移動により、上記供給流路の水が上記第１流路に至る状態と、上記供給流路の水が上記第２流路に至る状態と、上記供給流路の水が上記第３流路に至る状態と、上記供給流路の水が上記第４流路に至る状態とが選択可能とされている。
【００１２】
好ましくは、上記散水ノズルは、上記相対移動に基づき、上記内側領域からの吐水量が連続的に変化しうるように構成されている。好ましくは、飛水距離に関わらず、上記内側領域からの吐水の着水範囲は、上記外側領域からの吐水の着水範囲よりも狭い。
【発明の効果】
【００１３】
本発明に係る散水ノズルでは、従来にないシャワー吐水が実現される。
【図面の簡単な説明】
【００１４】
【図１】図１は、本発明の第一実施形態に係る散水ノズルの斜視図である。
【図２】図２は、図１の散水ノズルの正面図である。
【図３】図３は、図１の散水ノズルの先端部における断面図である。
【図４】図４は、図１の散水ノズルの先端部における断面図である。
【図５】図５は、図１の散水ノズルの先端部における断面図である。
【図６】図６は、図１の散水ノズルの先端部における断面図である。
【図７】図７は、図１の散水ノズルの先端部における断面図である。
【図８】図８は、本発明の第二実施形態に係る散水ノズルの正面図である。
【図９】図９は、図８の散水ノズルの先端部における一部切欠断面図である。
【図１０】図１０は、図８の散水ノズルの先端部における一部切欠断面図である。
【図１１】図１１は、図８の散水ノズルの先端部における一部切欠断面図である。
【図１２】図１２は、図８の散水ノズルの先端部における一部切欠断面図である。
【図１３】図１３は、図８の散水ノズルの先端部における一部切欠断面図である。
【図１４】図１４は、実施例における水形の輪郭形状を示す図である。
【図１５】図１５は、実施例におけるデータを示すグラフである。
【図１６】図１６は、実施例におけるデータを示すグラフである。
【図１７】図１７は、実施例におけるデータを示すグラフである。
【発明を実施するための形態】
【００１５】
以下、適宜図面が参照されつつ、好ましい実施形態に基づいて本発明が詳細に説明される。
【００１６】
［第一実施形態］
図１は、本発明の第一実施形態である散水ノズル１００の斜視図である。散水ノズル１００は、本体１０２、外筒１０４及び内筒１０６を有する。本体１０２は、給水接続部１０８、把持部１１０及びレバー１１２を有する。図示しないが、本体１０２の内部には、内筒１０６に水を供給する水供給管が配置されている。レバー１１２により、吐水と止水との切替が可能である。この切替を実現する構造は公知である。給水接続部１０８には、例えばホースが接続される。所定の供給水圧（水道水圧）で供給される水は、このホースから、上記水供給管を経由して、内筒１０６に至る。散水ノズル１００は、通常、一般の水道に接続される。一般の水道水圧は、下限としては０．０５ＭＰａ以上、より一般的には０．１５ＭＰａ以上であり、上限としては、０．７４ＭＰａ以下である。散水ノズル１００は、この範囲の水道水圧において好ましく用いられる。水道水圧は、ポンプ水圧等よりも比較的低い。散水ノズル１００では、このような比較的低い水道水圧においても、後述されるような多様な水形が得られる。
【００１７】
外筒１０４は、内筒１０６に対して回転可能である。この回転により、回転ポジションが変化する。この回転ポジションの変化により、水形が変化する。この点の詳細については、後述される。
【００１８】
外筒１０４は、吐水スクリーン１１４を有する。吐水スクリーン１１４は、外筒１０４の前面を形成している。
【００１９】
図２は、吐水スクリーン１１４の平面図である。吐水スクリーン１１４は、内側領域Ａ１と、外周領域Ａ２とを有する。平面視（図２）において、内側領域Ａ１は、直径がＤ１である円形の領域である。外周領域Ａ２は、円環状の領域である。外周領域Ａ２は、内側領域Ａ１の外側（半径方向外側）に位置する。図２において符号Ｄ２で示されるのは、外周領域Ａ２の外径である。直径Ｄ２は、平面視における直径である。図示されないが、吐水スクリーン１１４の外面は、凸状の曲面を形成している。この凸状の曲面は、球面形状である。この凸状の曲面により、着水範囲が拡大される。
【００２０】
内側領域Ａ１は円形とするのが良いが、他の形状、例えば楕円又は矩形とすることもできる。ここで、その内側領域Ａ１の外輪郭線上の２つの点の距離を離間距離Ｌとする。この離間距離Ｌは、上記２点を両端とし且つ上記外輪郭線の図心を通る線分の長さである。離間距離Ｌの最大値がＬｍａｘとされ、離間距離Ｌの最小値がＬｍｉｎとされる。内側領域Ａ１の外輪郭線が非円形とされる場合、（Ｌｍａｘ／Ｌｍｉｎ）は、２以下が好ましく、１．５以下がより好ましく、１．２以下が更に好ましい。円形の内側領域Ａ１では、（Ｌｍａｘ／Ｌｍｉｎ）が１である。
【００２１】
外周領域Ａ２の内輪郭線の形状は、上述の内側領域Ａ１の外輪郭線の形状と同じとされるのが好ましい。この場合、外周領域Ａ２の内輪郭線が、内側領域Ａ１の外輪郭線と一致しているのがより好ましい。外周領域Ａ２の外輪郭線は円形とするのがよいが、他の形状、例えば楕円又は矩形とすることもできる。ここで、その外周領域Ａ２の外輪郭線上の２つの点の距離を離間距離Ｍとする。この離間距離Ｍは、上記２点を両端とし且つ上記外輪郭線の図心を通る線分の長さである。離間距離Ｍの最大値がＭｍａｘとされ、離間距離Ｍの最小値がＭｍｉｎとされる。外周領域Ａ２の外輪郭線が非円形である場合、（Ｍｍａｘ／Ｍｍｉｎ）は、２以下が好ましく、１．５以下がより好ましく、１．２以下が更に好ましい。外輪郭線が円形である外周領域Ａ２では、（Ｍｍａｘ／Ｍｍｉｎ）が１である。
【００２２】
内側領域Ａ１には、複数のシャワー孔ｈ１が設けられている。内側領域Ａ１において、吐水が可能な孔は、シャワー孔ｈ１のみである。内側領域Ａ１に、シャワー孔ｈ１以外の他の孔が併設されてもよい。好ましくは、本実施形態のように、内側領域Ａ１における吐水が可能な孔は、シャワー孔ｈ１のみとされる。
【００２３】
吐水スクリーン１１４の内面に面した水路における流量が、本願において、スクリーン内流量とも称される。吐水スクリーン１１４の内面に面した水路における動水圧が、本願において、スクリーン内圧とも称される。吐水スクリーン１１４の内面に面した水路における流速が、本願において、スクリーン内流速とも称される。
【００２４】
スクリーン内圧が高くなると、スクリーン内流量及び吐出流量が増加する。この場合、多数のシャワー孔ｈ１からの吐水は、清掃シャワー水形を形成する。スクリーン内圧が低くなると、スクリーン内流量及び吐出流量が低下する。この場合、多数のシャワー孔ｈ１からの吐水は、ソフトジョロ水形を形成する。これらの水形の詳細については、後述される。
【００２５】
なお、内側領域Ａ１の更に内側の中央部に、シャワー孔以外の吐水孔が配置されてもよい。このシャワー孔以外の吐水孔から吐水の水形として、上記特許文献１（特公平４−３９３８６号公報）に記載されている、キリ及びストレートが例示される。この実施形態の場合、このシャワー孔以外の吐水孔に連通する水路が設けられる。なお、内側領域Ａ１の内側の中央部にシャワー孔以外の吐水孔が設けられた場合、散水ノズル１００の構造が複雑となり、散水ノズル１００が大型化しやすい。よって、散水ノズル１００の小型化及び構造の簡素化の観点から、内側領域Ａ１の内側にシャワー孔以外の吐水孔を設けないのが好ましい。内側領域Ａ１は、吐水スクリーン１１４の中心を含み、吐水スクリーン１１４の中央領域を構成しているのが好ましい。
【００２６】
外周領域Ａ２には、複数のシャワー孔ｈ２が設けられている。外周領域Ａ２において、吐水が可能な孔は、シャワー孔ｈ２のみである。外周領域Ａ２に、シャワー孔ｈ２以外の他の孔が併設されてもよい。好ましくは、本実施形態のように、外周領域Ａ２における吐水が可能な孔は、シャワー孔ｈ２のみとされる。
【００２７】
スクリーン内圧が高くなると、スクリーン内流量及び吐出流量が増加する。この場合、多数のシャワー孔ｈ２からの吐水は、シャワー水形を形成する。スクリーン内圧が低くなると、スクリーン内流量及び吐出流量が低下する。この場合、多数のシャワー孔ｈ２からの吐水は、ジョロ水形を形成する。これらの水形の詳細については、後述される。
【００２８】
［用語の定義］
ここで、明確性の観点から、本願における用語が以下の如く定義される。
【００２９】
［回転ポジションＲ］
回転ポジションＲとは、周方向における外筒１０４と内筒１０６との周方向での相対的位置関係である。回転ポジションＲは、段階的及び／又は連続的に変化する。段階的変化と連続的変化とが併用されていてもよい。即ち、一定の範囲が連続的な変化とされ且つ他の領域が段階的な変化とされてもよい。なお、可動範囲の全体が連続的な変化であるのが好ましく、本実施形態はその一例である。この連続的な変化は、後述されるネジ結合によって実現される。
【００３０】
［前後ポジションＰ］
前後ポジションＰとは、前後方向における外筒１０４と内筒１０６との相対的位置関係である。前後ポジションＰは、段階的及び／又は連続的に変化する。段階的変化と連続的変化とが併用されていてもよい。即ち、一定の範囲が連続的な変化とされ且つ他の領域が段階的な変化とされてもよい。なお、可動範囲の全体が連続的な変化であるのが好ましく、本実施形態はその一例である。連続的に変化する。前後ポジションＰは、回転ポジションＲに連動している。この連動は、後述されるネジ結合によって実現される。
【００３１】
［シャワー孔］
シャワー孔とは、好ましくは、吐水スクリーン１１４の外面における孔径（孔の直径）が１．０ｍｍ以下の孔であるか、又は、吐水スクリーン１１４の外面における孔面積が０．７９ｍｍ２以下の孔である。より好ましい孔径については後述される。
【００３２】
［シャワー吐水］
シャワー吐水とは、シャワー孔からの吐水を意味する。スクリーン内流量が高い場合、多数のシャワー孔からの吐水は、シャワー水形を形成する。スクリーン内流量が低い場合、多数のシャワー孔からの吐水は、ジョロ水形を形成する。
【００３３】
［水形］
水形は、吐水の形状である。本願には、４つの水形が記載されている。これら４つの水形は、清掃シャワー水形、ソフトジョロ水形、ジョロ水形及びシャワー水形である。これら４つの水形は、いずれも、シャワー吐水による水形である。
【００３４】
［清掃シャワー水形、ソフトジョロ水形］
清掃シャワー水形及びソフトジョロ水形は、いずれも、内側領域Ａ１からの吐水の形状である。清掃シャワー水形とソフトジョロ水形との間に明確な境界は無い。つまりこれらの水形の名称は概念的である。スクリーン内流量によって、清掃シャワー水形からソフトジョロ水形まで、水形が連続的に変化しうる。散水範囲が比較的狭く且つ水の勢いが強いシャワー吐水は、水の勢いによって汚れを落とす用途に適している。
【００３５】
清掃シャワー水形では、重力の存在下において水が直進する部分（吐水直進部）を有する。この吐水直進部では、水形が円錐形又は円筒形である。ソフトジョロ水形では、この吐水直進部が、無いか、又は非常に短い。
【００３６】
［ジョロ水形、シャワー水形］
ジョロ水形及びシャワー水形は、いずれも、外周領域Ａ２からの吐水の形状である。ジョロ水形とシャワー水形との間に明確な境界は無い。つまりこれらの水形の名称は概念的である。スクリーン内流量によって、ジョロ水形からシャワー水形まで、水形が連続的に変化しうる。
【００３７】
シャワー水形では、重力の存在下において水が直進する部分（吐水直進部）を有する。この吐水直進部では、水形が円錐形である。ジョロ水形では、この吐水直進部が、無いか、又は非常に短い。
【００３８】
図３から図７は、外筒１０４及び内筒１０６を示す断面図である。図３から図７では、外筒１０４を内筒１０６に対して回転させることにより、回転ポジションＲ及び前後ポジションＰが変化する。よって例えば、内筒１０６の後端と外筒１０４の後端との前後方向距離Ｄｓ（図３から図５参照）も連続的に変化する。図３から図７は、連続的な変化によって生ずる多数の形態のうちの５つを例示したにすぎない。
【００３９】
図３から図７が示すように、外筒１０４は、内側領域Ａ１に連通する第１流路ＷＲ１と、外周領域Ａ２に連通する第２流路ＷＲ２と、雌ネジ部ｆｓ１と、円筒部材ｃｄ１とを有する。円筒部材ｃｄ１は、通水部（第一通水部）ｔｈ１と、円周内面１１８と、傾斜面１２０とを有する。第一通水部ｔｈ１は、円筒部材ｃｄ１の後端部に設けられた切り欠きである。第一通水部ｔｈ１は、円筒部材ｃｄ１の周方向の複数位置に設けられている。第一通水部ｔｈ１は貫通孔であってもよい。傾斜面１２０は、前方にいくほどその内径が大きくなる円錐凹面である。
【００４０】
図３から図７が示すように、内筒１０６は、供給流路１２２と、雄ネジ部ｍｓ１と、通水部（第二通水部）ｔｈ２とを有する。第二通水部ｔｈ２は内筒１０６を貫通する孔である。第二通水部ｔｈ２は、内筒１０６の周方向の複数位置に設けられている。更に、内筒１０６は、第一止水部１２４と、第二止水部１２６とを有する。
【００４１】
第一止水部１２４は、第二通水部ｔｈ２の前方に設けられている。第二止水部１２６は、第二通水部ｔｈ２の後方に設けられている。第一止水部１２４及び第二止水部１２６は、Ｏリングである。第一止水部１２４の外径は第二止水部１２６の外径に等しい。第一止水部１２４は、第二止水部１２６と同軸で配置されている。第一止水部１２４が円周内面１１８に接すると、水密状態が形成される。第二止水部１２６が円周内面１１８に接すると、水密状態が形成される。なお、Ｏリングに代えて、密封シール等のシール部材が採用されてもよい。
【００４２】
雌ネジ部ｆｓ１と雄ネジ部ｍｓ１とはネジ結合を形成している。前述した通り、外筒１０４を内筒１０６に対して回転させると、このネジ結合に起因して、回転ポジションＲ及び前後ポジションＰが連続的に変化する。
【００４３】
図３は、回転ポジションＲがＲ１であるときの断面図である。このとき、前後ポジションＰはＰ１であり、上記距離ＤｓはＤｓ１である。図４は、回転ポジションＲがＲ２であるときの断面図である。このとき、前後ポジションＰはＰ２であり、上記距離ＤｓはＤｓ２である。図５は、回転ポジションＲがＲ３であるときの断面図である。このとき、前後ポジションＰはＰ３であり、上記距離ＤｓはＤｓ３である。図６は、回転ポジションＲがＲ４であるときの断面図である。このとき、前後ポジションＰはＰ４であり、上記距離ＤｓはＤｓ４である。図７は、回転ポジションＲがＲ５であるときの断面図である。このとき、前後ポジションＰはＰ５であり、上記距離ＤｓはＤｓ５である。Ｄｓ１＞Ｄｓ２＞Ｄｓ３＞Ｄｓ４＞Ｄｓ５である。
【００４４】
このように、散水ノズル１００では、上記相対移動により、供給流路１２２の水が第１水路ＷＲ１に至る状態と、供給流路１２２の水が第２水路ＷＲ２に至る状態とが選択可能とされている。この選択は、択一的である。
【００４５】
各図面の形態において得られる水形は次の通りである。
・図３（ポジションＰ１、Ｒ１）：シャワー水形
・図４（ポジションＰ２、Ｒ２）：ジョロ水形
・図５（ポジションＰ３、Ｒ３）：止水状態（吐水無し）
・図６（ポジションＰ４、Ｒ４）：ソフトジョロ水形
・図７（ポジションＰ５、Ｒ５）：清掃シャワー水形
【００４６】
図６（ポジションＰ４、Ｒ４）及び図７（ポジションＰ５、Ｒ５）では、水は第１流路ＷＲ１のみに流れる。図３（ポジションＰ１、Ｒ１）及び図４（ポジションＰ２、Ｒ２）では、水は第２流路ＷＲ２のみに流れる。
【００４７】
上述したように、これらのポジションＰ、Ｒの変化は連続的であるから、図３から７では示されない形態においても、それぞれのポジションＰ、Ｒに応じた吐水流量、吐水流速及び水形が得られる。吐水流量とは、吐水スクリーン１１４から散水される水の流量を意味する。吐水流速とは、吐水スクリーン１１４から散水される水の流速を意味する。
【００４８】
図３、４、６及び７では、水の流れが二点鎖線の矢印によって示されている。なお、図５は止水状態であるから、水の流れは示されていない。
【００４９】
図３（ポジションＰ１、Ｒ１）では、供給流路１２２に供給された水は、第二通水部ｔｈ２、第一通水部ｔｈ１及び第２流路ＷＲ２を経由して、外周領域Ａ２のシャワー孔ｈ２から吐水される。第一止水部１２４と円周内面１１８との当接により、水は第１流路ＷＲ１には流れず、第２流路ＷＲ２にのみ流れる。この水の流れは、図４（ポジションＰ２、Ｒ２）でも同じである。但し、図４の形態では、図３の形態に比較して、第一通水部ｔｈ１と第二通水部ｔｈ２との重複幅が狭い。即ち、図４の形態では、第二通水部ｔｈ２と第一通水部ｔｈ１との境界における流路断面積（境界流路面積Ｍｋ）が狭い。この境界流路面積Ｍｋと、外周領域Ａ２での通水面積Ｍ２（後述）との比によって、スクリーン内圧が変化する。即ち、Ｍｋ／Ｍ２が大きいと、スクリーン内圧が高まる。この図３（ポジションＰ１、Ｒ１）では、図４（ポジションＰ２、Ｒ２）に比較して、Ｍｋ／Ｍ２が比較的大きい。このため、図３（ポジションＰ１、Ｒ１）では、図４（ポジションＰ２、Ｒ２）に比較して、吐水流量が多く、且つ、吐水流速が速い。これら吐水流量及び吐水流速の変化に伴い、水形が変化する。もちろん、図３（ポジションＰ１、Ｒ１）と図４（ポジションＰ２、Ｒ２）との間のポジションＰ、Ｒでは、吐水流量及び吐水流速は連続的に変化し、水形も連続的に変化する。
【００５０】
図５（ポジションＰ３、Ｒ３）では、第一止水部１２４が円周内面１１８に当接しており、且つ、第二止水部１２６が円周内面１１８に当接している。よって、供給流路１２２に供給された水は、第二通水部ｔｈ２で止水される。水は、第１流路ＷＲ１及び第２流路ＷＲ２のいずれにも至ることなく、止められる。
【００５１】
なお、寸法の変更によって、止水するポジションを無くすこともできる。これは、例えば、円周内面１１８の前後方向長さを、第一止水部１２４と第二止水部１２６との前後方向距離よりも短くすることで、達成される。この場合、円筒部材ｃｄ１を短くすることができるので、散水ノズル１００の小型化が可能である。
【００５２】
図６（ポジションＰ４、Ｒ４）では、供給流路１２２に供給された水は、第二通水部ｔｈ２及び第１流路ＷＲ１を経由して、内側領域Ａ１のシャワー孔ｈ１から吐水される。第二止水部１２６と円周内面１１８との当接により、水は第２流路ＷＲ２には流れず、第１流路ＷＲ１にのみ流れる。この水の流れは、図７（ポジションＰ５、Ｒ５）でも同じである。但し、図６の形態では、内筒１０６の先端部１３０又は第一止水部１２４と傾斜面１２０との間に狭い流路Ｎ１が形成される（図６参照）。この流路Ｎ１により、境界流路面積Ｍｋが小さくなり、外周領域Ａ１での通水面積Ｍ１との比（Ｍｋ／Ｍ１）が低下する。このＭｋ／Ｍ１の低下により、第１水路ＷＲ１におけるスクリーン内圧が低下する。よって、吐出流量及び吐出流速が低下する。一方、図７（ポジションＰ５、Ｒ５）では、この狭い流路Ｎ１が解消されるため、図６（ポジションＰ４、Ｒ４）に比較して、Ｍｋ／Ｍ１が増加する。このＭｋ／Ｍ１の増加により、吐水流量及び吐水流速が増加し、水形が変化する。もちろん、図６（ポジションＰ４、Ｒ４）と図７（ポジションＰ５、Ｒ５）との間のポジションＰ、Ｒでは、吐水流量及び吐水流速は連続的に変化し、水形も連続的に変化する。  
【００５３】
本来的に、シャワー吐水は、細かい水流を広い範囲に分散させることを目的としている。このため、シャワー吐水は、より広い領域からの吐水が当然とされ、狭い内側領域Ａ１のみからシャワー吐水を行うことは想定されなかった。一方、強い水流により清掃等を行う場合、強い水の勢いを重視する観点から、ストレート水形が用いられていた。内側領域Ａ１からのシャワー吐水という技術思想は、従来の技術水準からは容易に想到できないものであった。
【００５４】
近年、多数の水形が可能な散水ノズルが一般的である。当業者は、水形の多様性によって、利便性の高い散水ノズルを実現してきた。このため従来の散水ノズルでは、シャワー水形に加えて、ストレート水形及びキリ水形への切替が可能であった。内側領域Ａ１からの吐水をシャワー水形とするのは、水形の多様性に逆行すると考えられ、当業者の技術水準とは逆方向の構成であった。
【００５５】
本実施形態の構成は、このような当業者の技術水準を覆すものである。図７（ポジションＰ５、Ｒ５）においては、内側領域Ａ１から、勢いのあるシャワー吐水（清掃シャワー水形）が可能である。このシャワー吐水では、以下の作用効果が得られうる。
（ａ）吐水範囲を、吐水スクリーン１１４の中央部における狭い領域（即ち内側領域Ａ１）に限定している。この狭い範囲から勢いのあるシャワー吐水がなされるため、細い円錐形状の水形で、狭い範囲に、勢いのあるシャワー吐水が可能となる。
（ｂ）強く且つ局所的なシャワー吐水により、落ちにくい汚れを洗い流すことができる。また、ストレート水形と比較して、着水範囲が広いため、汚れを落とす効果が広範囲で得られる。
（ｃ）シャワー水形であり、水流が細いため、吐水流速が高いにも関わらず、ストレート水形のような激しい水ハネは生じない。
（ｄ）吐水流速が高いにも関わらず、従来のストレート水形と比較して、吐水流量は少ない。よって、節水しながら、高い清掃効果が得られる。
【００５６】
一方、図６（ポジションＰ４、Ｒ４）では、内側領域Ａ１のみから、吐水流量が少ない水形（ソフトジョロ水形）の吐水がなされる。着水範囲は狭く、吐水流量を微小とすることが可能である。よって例えば、植木鉢及び観葉植物への給水に最適である。図４（ポジションＰ２、Ｒ２）によるジョロ水形でも、狭い着水範囲と少ない吐水流量が可能であるが、吐水が広い範囲（外周領域Ａ２）からなされるため、上記ソフトジョロ水形の場合と比較して、着水範囲及び吐水流量の調節に限界があった。よって、例えば、小さな植木鉢及び小さな観葉植物等への給水が難しいことがあった。また、園芸用途では、勢いが小さく且つ少量の水を吐出したい場合があるが、上記ジョロ水形ではそのような吐水が困難であった。図６（ポジションＰ４、Ｒ４）のソフトジョロ水形は、この問題を解決しうる。
【００５７】
なお、傾斜面１２０は、回転ポジションＲの回転角度に対する吐水流量又は吐水流速の変化率を緩やかにするのに寄与している。即ち、傾斜面１２０は、ソフトジョロ水形において、吐水流量及び吐水流速の調整を容易としている。
【００５８】
図３（ポジションＰ１、Ｒ１）のシャワー水形では、円環状（ドーナツ型）の外周領域Ａ２からシャワー吐水がなされる。よって、少ない吐水流量で、着水範囲の直径が広い水形が得られる。内側領域Ａ１の外側に外周領域Ａ２を設けることで、外周領域Ａ２の直径Ｄ２を大きくしつつ、外周領域Ａ２の面積を抑制することができる。この面積の抑制により、シャワー孔ｈ２の配置密度を適切に維持しながら、直径Ｄ２を拡大することが可能となる。よって、吐水スクリーン１１４の外面の球面形状の曲率を過度に大きくすることなく、シャワー吐水の着水面積を大きくすることができる。吐水スクリーン１１４の外面の球面形状の曲率が過大である場合、水流が乱れ、適切なシャワー水形が得られないことがある。
【００５９】
散水ノズル１００では、内側領域Ａ１から連続的に変化するシャワー吐水が得られるのに加え、外周領域Ａ２からも、連続的に変化するシャワー吐水が得られる。さらに、前述の通り、内側領域Ａ１からのシャワー吐水と、外周領域Ａ２からのシャワー吐水とで、多くの相違がある。このように散水ノズル１００では、多様なシャワー吐水が実現される。
【００６０】
図８から図１３は、第２実施形態に係る散水ノズル２００を示す。図８は、この散水ノズル２００の正面図であり、図９から１３は、散水ノズル２００の一部切欠断面図である。図９から１３において、散水ノズル２００の本体の記載は省略されている。図９から１３は、図８のＡ−Ａ線に沿った断面図である。
【００６１】
散水ノズル２００は、図示されない本体と、外筒２０２及び内筒２０４を有する。本体の構造は、前述した散水ノズル１００と同様である。
【００６２】
外筒２０２は、内筒２０４に対して回転可能である。この回転により、回転ポジションが変化する。この回転ポジションの変化により、水形が変化する。この点の詳細については、後述される。
【００６３】
外筒２０２は、吐水スクリーン２０６を有する。吐水スクリーン２０６は、外筒２０２の前面を形成している。
【００６４】
［第二実施形態］
図８は、吐水スクリーン２０６の平面図である。吐水スクリーン２０６は、内側領域Ａ１と、外周領域Ａ２と、外縁領域Ａ３とを有する。平面視（図８）において、内側領域Ａ１は、直径がＤａである円形の領域である。外周領域Ａ２は、円環状の領域である。外周領域Ａ２は、内側領域Ａ１の外側（半径方向外側）に位置する。図８において符号Ｄｂで示されるのは、外周領域Ａ２の外径である。直径Ｄｂは、平面視における直径である。外縁領域Ａ３は、円環状の領域である。外縁領域Ａ３は、外周領域Ａ２の外側（半径方向外側）に位置する。図８において符号Ｄｃで示されるのは、外縁領域Ａ３の外径である。直径Ｄｃは、平面視における直径である。後述の図９から１３で図示されるように、吐水スクリーン２０６の外面は、凸状の曲面を形成している。この凸状の曲面は、球面形状である。この凸状の曲面により、着水範囲が拡大される。
【００６５】
内側領域Ａ１は円形とするのが良いが、他の形状、例えば楕円又は矩形とすることもできる。前述した通り、Ｌｍａｘ及びＬｍｉｎが定義される。内側領域Ａ１の外輪郭線が非円形とされる場合、（Ｌｍａｘ／Ｌｍｉｎ）は、２以下が好ましく、１．５以下がより好ましく、１．２以下が更に好ましい。円形の内側領域Ａ１では、（Ｌｍａｘ／Ｌｍｉｎ）が１である。
【００６６】
外周領域Ａ２の内輪郭線の形状は、上述の内側領域Ａ１の外輪郭線の形状と同じとされるのが好ましい。この場合、外周領域Ａ２の内輪郭線が、内側領域Ａ１の外輪郭線と一致しているのがより好ましい。外周領域Ａ２の外輪郭線は円形とするのがよいが、他の形状、例えば楕円又は矩形とすることもできる。前述した通り、Ｍｍａｘ及びＭｍｉｎが定義される。外周領域Ａ２の外輪郭線が非円形である場合、（Ｍｍａｘ／Ｍｍｉｎ）は、２以下が好ましく、１．５以下がより好ましく、１．２以下が更に好ましい。外輪郭線が円形である外周領域Ａ２では、（Ｍｍａｘ／Ｍｍｉｎ）が１である。
【００６７】
内側領域Ａ１には、複数のシャワー孔ｈ１が設けられている。内側領域Ａ１において、吐水が可能な孔は、シャワー孔ｈ１のみである。内側領域Ａ１に、シャワー孔ｈ１以外の他の孔が併設されてもよい。好ましくは、本実施形態のように、内側領域Ａ１における吐水が可能な孔は、シャワー孔ｈ１のみとされる。
【００６８】
スクリーン内圧が高い場合、多数のシャワー孔ｈ１からの吐水は、清掃シャワー水形を形成する。スクリーン内圧が低い場合、多数のシャワー孔ｈ１からの吐水は、ソフトジョロ水形を形成する。
【００６９】
外周領域Ａ２には、複数のシャワー孔ｈ２が設けられている。外周領域Ａ２において、吐水が可能な孔は、シャワー孔ｈ２及びストレート孔ｈ４（後述）である。外周領域Ａ２に、シャワー孔ｈ２及びストレート孔ｈ４以外の他の孔が併設されてもよい。好ましくは、本実施形態のように、外周領域Ａ２における吐水が可能な孔は、シャワー孔ｈ２及びストレート孔ｈ４に限られる。
【００７０】
スクリーン内圧が高い場合、多数のシャワー孔ｈ２からの吐水は、シャワー水形を形成する。スクリーン内圧が低い場合、多数のシャワー孔ｈ２からの吐水は、ジョロ水形を形成する。
【００７１】
更に、外周領域Ａ２には、ストレート孔ｈ４が設けられている。平面視（図８）において、ストレート孔ｈ４は、１本の直線に沿って設けられている。ストレート孔ｈ４は、内側領域Ａ１には設けられていない。ストレート孔ｈ４は、第一のストレート孔ｈ４１と、第２のストレート孔ｈ４２とからなる。ストレート孔ｈ４１及びストレート孔ｈ４２は、長穴である。ストレート孔ｈ４１とストレート孔ｈ４２とは、同一の直線に沿っている。
【００７２】
外周領域Ａ２において、吐水が可能な孔は、シャワー孔ｈ２及びストレート孔ｈ４のみである。
【００７３】
スクリーン内圧が高い場合、ストレート孔ｈ４は、扇状水形を形成する。
【００７４】
外縁領域Ａ３には、環状開口部ｈ３が設けられている。環状開口部ｈ３には、複数の仕切り２０８が設けられている。仕切り２０８は、周方向において等間隔で設けられている。環状開口部ｈ３では、全体として、広い開口面積が確保されている。環状開口部ｈ３からの吐水では、吐水流量が多い。環状開口部ｈ３により、充分な吐水流量が確保されうる。
【００７５】
図９から図１３が示すように、外筒２０２を内筒２０４に対して回転させることにより、回転ポジションＲ及び前後ポジションＰが変化する。前述した散水ノズル１００と同様に、回転ポジションＲの変化は連続的であり、前後ポジションＰの変化も連続的である。図９から図１３は、連続的な変化によって生ずる多数の形態のうちの５つを例示したにすぎない。
【００７６】
図９から図１３が示すように、外筒２０２は、内側領域Ａ１に連通する第１流路ＷＲ１と、外周領域Ａ２のシャワー孔ｈ２に連通する第２流路ＷＲ２と、外縁領域Ａ３に連通する第３流路ＷＲ３と、ストレート孔ｈ４に連通する第４流路ＷＲ４とを有する。更に外筒２０２は、雌ネジ部ｆｓ１と、第１導水部ｔ１と、第２導水部ｔ２と、第３導水部ｔ３と、第４導水部ｔ４とを有する。
【００７７】
、第１導水部ｔ１は、第１流路ＷＲ１の一部である。第２導水部ｔ２は、第２流路ＷＲ２に連通する。第３導水部ｔ３は、第３流路ＷＲ３に連通する。第４導水部ｔ４は、第４流路ＷＲ４に連通する。
【００７８】
図９から図１３が示すように、内筒２０４は、供給流路２１０と、雄ネジ部ｍｓ１と、通水部ｔｈとを有する。通水部ｔｈは内筒２０４を貫通する孔である。通水部ｔｈは、内筒２０４の周方向の複数位置に設けられている。更に、内筒２０４は、第一止水部２１２と、第二止水部２１４とを有する。
【００７９】
第一止水部２１２は、通水部ｔｈの前方に設けられている。第二止水部２１４は、通水部ｔｈの後方に設けられている。第一止水部２１２及び第二止水部２１４は、Ｏリングである。第一止水部２１２の外径は第二止水部２１４の外径に等しい。第一止水部２１２は、第二止水部２１４と同軸で配置されている。第一止水部２１２が円周内面２１６に接すると、水密状態が形成される。同様に、第二止水部２１４が円周内面２１６に接すると、水密状態が形成される。
【００８０】
雌ネジ部ｆｓ１と雄ネジ部ｍｓ１とはネジ結合を形成している。前述した通り、外筒２０２を内筒２０４に対して回転させると、このネジ結合に起因して、回転ポジションＲ及び前後ポジションＰが連続的に変化する。
【００８１】
なお、回転ポジションＲの変化は、連続的な変化に限定されない。回転ポジションＲは、段階的及び／又は連続的に変化する。段階的変化と連続的変化とが併用されていてもよい。即ち、一定の範囲が連続的な変化とされ且つ他の領域が段階的な変化とされてもよい。なお、可動範囲の全体が連続的な変化であるのが好ましく、本実施形態はその一例である。
【００８２】
前後ポジションＰの変化は、連続的な変化に限定されない。前後ポジションＰは、段階的及び／又は連続的に変化する。段階的変化と連続的変化とが併用されていてもよい。即ち、一定の範囲が連続的な変化とされ且つ他の領域が段階的な変化とされてもよい。なお、可動範囲の全体が連続的な変化であるのが好ましく、本実施形態はその一例である。
【００８３】
図９は、回転ポジションＲがＲａであるときの断面図である。このとき、前後ポジションＰはＰａである。図１０は、回転ポジションＲがＲｂであるときの断面図である。このとき、前後ポジションＰはＰｂである。図１１は、回転ポジションＲがＲｃであるときの断面図である。このとき、前後ポジションＰはＰｃである。図１２は、回転ポジションＲがＲｄであるときの断面図である。このとき、前後ポジションＰはＰｄである。図１３は、回転ポジションＲがＲｅであるときの断面図である。このとき、前後ポジションＰはＰｅである。
【００８４】
各図面の形態において得られる水形は次の通りである。
・図９（ポジションＰａ、Ｒａ）：開放水形
・図１０（ポジションＰｂ、Ｒｂ）：シャワー水形（及びジョロ水形）
・図１１（ポジションＰｃ、Ｒｃ）：扇状水形
・図１２（ポジションＰｄ、Ｒｄ）：ソフトジョロ水形
・図１３（ポジションＰｅ、Ｒｅ）：清掃シャワー水形
【００８５】
上述したように、これらのポジションＰ、Ｒの変化は連続的であるから、図９から１３では示されない形態においても、ポジションＰ、Ｒに応じた水形が得られる。
【００８６】
図９から１３では、水の流れが二点鎖線の矢印によって示されている。
【００８７】
図９（ポジションＰａ、Ｒａ）では、前後方向における通水部ｔｈの位置は、第３導水部ｔ３に重なっている。このポジションＰａ、Ｒａでは、供給流路２１０に供給された水は、通水部ｔｈ、第３導水部ｔ３及び第３流路ＷＲ３を経由して、外縁領域Ａ３の環状開口部ｈ３から吐水される。第一止水部２１２と円周内面２１６との当接により、前方への水の漏れは防止されている。更に、第３止水部２２０と、内筒２０４の円周外面２２２との当接により、後方への水の漏れは防止されている。よって、水は、第３流路ＷＲ３のみに流れる。また、通水部ｔｈと第３導水部ｔ３との相対的な位置関係によって、通水部ｔｈと第３導水部ｔ３との境界部における流路の幅（断面積）が変化する。この変化により、吐水流量及び吐水流速が連続的に調整されうる。
【００８８】
本願では、環状開口部ｈ３からの吐水が開放水形と称される。このポジションＰａ、Ｒａで実現される開放水形では、大きな吐水流量が確保される。また吐水流速は少なく、水ハネが抑制される。短時間で大量の水を供給する場合に、この開放水形は便利である。
【００８９】
図１０（ポジションＰｂ、Ｒｂ）では、前後方向における通水部ｔｈの位置は、第２導水部ｔ２に重なっている。このポジションＰｂ、Ｒｂでは、供給流路２１０に供給された水は、通水部ｔｈ、第２導水部ｔ２及び第２流路ＷＲ２を経由して、外周領域Ａ２のシャワー孔ｈ２から吐水される。第一止水部２１２と円周内面２１６との当接により、前方への水の漏れは防止されている。同様に、第二止水部２１４と円周内面２１６との当接により、後方への水の漏れは防止されている。よって、水は、第２流路ＷＲ２のみに流れる。また、通水部ｔｈと第２導水部ｔ２との相対的な位置関係によって、通水部ｔｈと第２導水部ｔ２との境界部における流路の幅（断面積）が変化する。この変化により、吐水流量及び吐水流速が連続的に調整されうる。この調整により、シャワー水形からジョロ水形までの連続的な変化が可能である。
【００９０】
なお、断面の位置に起因して図１０では示されないが、第２流路ＷＲ２は、全てのシャワー孔ｈ２に連通している。
【００９１】
図１１（ポジションＰｃ、Ｒｃ）では、前後方向における通水部ｔｈの位置は、第４導水部ｔ４に重なっている。このポジションＰｃ、Ｒｃでは、供給流路２１０に供給された水は、通水部ｔｈ、第４導水部ｔ４及び第４流路ＷＲ４を経由して、ストレート孔ｈ４から吐水される。第一止水部２１２と円周内面２１６との当接により、前方への水の漏れは防止されている。同様に、第二止水部２１４と円周内面２１６との当接により、後方への水の漏れは防止されている。よって、水は、第４流路ＷＲ４のみに流れる。また、通水部ｔｈと第４導水部ｔ４との相対的な位置関係によって、通水部ｔｈと第４導水部ｔ４との境界部における流路の幅（断面積）が変化する。この変化により、吐水流量及び吐水流速が連続的に調整されうる。この調整により、扇型水形の連続的な変化が可能である。
【００９２】
なお、扇型水形では、幅広い領域に散水が可能である。よって、広い着水面積を確保する場合、この扇型水形が便利である。
【００９３】
図１２（ポジションＰｄ、Ｒｄ）では、前後方向における通水部ｔｈの位置は、第１導水部ｔ１（第１流路ＷＲ１）に重なっている。このポジションＰｄ、Ｒｄでは、供給流路２１０に供給された水は、通水部ｔｈ、第１導水部ｔ１及び第１流路ＷＲ１を経由して、シャワー孔ｈ１から吐水される。第二止水部２１４と円周内面２１６との当接により、後方への水の漏れは防止されている。よって、水は、第１流路ＷＲ１のみに流れる。
【００９４】
図１３（ポジションＰｅ、Ｒｅ）において、水の流れの経路は、図１２（ポジションＰｄ、Ｒｄ）と同じである。ただし、図１３（ポジションＰｅ、Ｒｅ）では、図１２（ポジションＰｄ、Ｒｄ）に比較して、第１導水部ｔ１（第１流路ＷＲ１）と通水部ｔｈとの重複幅が大きくされている。よって、通水部ｔｈと第１導水部ｔ１との境界部における流路の幅（断面積）が広い。したがって、大きな吐水流量及び吐水流速が実現される。これに対して図１２（ポジションＰｄ、Ｒｄ）では、通水部ｔｈと第１導水部ｔ１との境界部における流路の幅（断面積）が比較的狭い。したがって、図１３（ポジションＰｅ、Ｒｅ）では清掃シャワー水形が形成されるのに対して、図１２（ポジションＰｄ、Ｒｄ）ではソフトジョロ水形が形成される。もちろん、これら清掃シャワー水形及びソフトジョロ水形を含む連続的な水形の変化が可能である。
【００９５】
このように、この第二実施形態の散水ノズル２００では、前述した第一実施形態の散水ノズル１００で得られた効果に加えて、開放水形及び扇状水形が実現されている。これらの水形が追加されているにも関わらず、前述した散水ノズル１００において達成されている機能は維持されている。よって、より利便性の高い散水ノズルが実現されている。特に、この散水ノズル２００では、内側領域Ａ１には、ストレート孔ｈ４が設けられていない。即ち、内側領域Ａ１にはシャワー孔のみが設けられている。よって、内側領域Ａ１からのシャワー吐水に起因する上記効果は、散水ノズル２００においても達成される。
【００９６】
上記第一実施形態及び／又は上記第二実施形態で示されたそれぞれの形態、構成等は、これら実施形態の全ての形態又は構成をそなえなくても、個々に、本願請求項に係る発明をはじめとした、本願記載の全発明に適用されうる。
【００９７】
［内側領域Ａ１のシャワー孔ｈ１の孔径等］
内側領域Ａ１からのシャワー吐水の吐水流速を高める観点及び水ハネ抑制の観点から、シャワー孔ｈ１の孔径は、０．４６ｍｍ以下が好ましく、０．３８ｍｍ以下がより好ましい。吐水流量が過少となることを防ぐ観点から、シャワー孔ｈ１の孔径は、０．３４ｍｍ以上が好ましく、０．３８ｍｍ以上がより好ましい。後述される実施例では、このシャワー孔ｈ１の孔径は０．３８ｍｍとされた。
【００９８】
異なる孔径のシャワー孔ｈ１が併用されてもよい。この併用の場合、全てのシャワー孔ｈ１の孔径の平均値が、上記数値限定を満たすのが好ましく、全てのシャワー孔ｈ１の孔径が、上記数値限定を満たすのがより好ましい。
【００９９】
シャワー孔ｈ１は円形とされるのが良いが、他の形状、例えば楕円又は矩形とすることもできる。また、円形のシャワー孔ｈ１と、１種以上の非円形のシャワー孔ｈ１とが併用されてもよい。円形のシャワー孔ｈ１と、２種以上の非円形のシャワー孔ｈ１とが併用されてもよい。前述の実施形態では、全てのシャワー孔ｈ１は円形である。
【０１００】
非円形のシャワー孔ｈ１が採用される場合、そのシャワー孔ｈ１の外輪郭線は、内方への凹みが存在しない形状、例えば、楕円又は正多角形とされるのが好ましい。ここで、シャワー孔ｈ１の外輪郭線上の２つの点の距離を離間距離Ｇとする。この離間距離Ｇは、上記２点を両端とし且つ上記外輪郭線の図心を通る線分の長さである。離間距離Ｇの最大値がＧｍａｘとされ、離間距離Ｇの最小値がＧｍｉｎとされる。シャワー孔ｈ１の外輪郭線が非円形とされる場合、（Ｇｍａｘ／Ｇｍｉｎ）は、２以下が好ましく、１．５以下がより好ましく、１．２以下が更に好ましい。円形のシャワー孔ｈ１では、（Ｇｍａｘ／Ｇｍｉｎ）が１である。
【０１０１】
非円形のシャワー孔ｈ１が採用される場合、その非円形の孔と同じ面積を有する円形の直径Ｄｈが算出される。内側領域Ａ１からのシャワー吐水の吐水流速を高める観点及び水ハネ抑制の観点から、この直径Ｄｈは、０．４６ｍｍ以下が好ましく、０．３８ｍｍ以下がより好ましい。吐水流量が過少となることを防ぐ観点から、直径Ｄｈは、０．３４ｍｍ以上が好ましく、０．３８ｍｍ以上がより好ましい。
【０１０２】
［内側領域Ａ１のシャワー孔ｈ１の数］
内側領域Ａ１からのシャワー吐水において水ハネを抑制する観点から、シャワー孔ｈ１の数は、６８以上が好ましい。吐水流速及び節水の観点から、シャワー孔ｈ１の数は、１００以下が好ましく、６８以下がより好ましい。後述される実施例では、このシャワー孔ｈ１の数は６８とされた。
【０１０３】
［内側領域Ａ１での通水面積Ｍ１］
吐水流量が過少となることを防ぐ観点から、内側領域Ａ１での通水面積Ｍ１は、７．７ｍｍ２以上が好ましい。吐水流速を高める観点から、内側領域Ａ１での通水面積Ｍ１は、１１ｍｍ２以下が好ましく、７．７ｍｍ２以下がより好ましい。後述される実施例では、この通水面積Ｍ１は７．７ｍｍ２とされた。通水面積Ｍ１は、内側領域Ａ１にある全ての通水孔の孔面積の総和である。この孔面積は、吐水スクリーンの外面における面積である。
【０１０４】
［外周領域Ａ２のシャワー孔ｈ２の孔径］
吐水流速の観点から、シャワー孔ｈ２の孔径は、０．３６ｍｍ以下が好ましく、０．２８ｍｍ以下がより好ましい。吐水流量が過少となることを防ぐ観点から、シャワー孔ｈ２の孔径は、０．２４ｍｍ以上が好ましく、０．２８ｍｍ以上がより好ましい。後述される実施例では、このシャワー孔ｈ２の孔径は０．２８ｍｍとされた。
【０１０５】
異なる孔径のシャワー孔ｈ２が併用されてもよい。この併用の場合、全てのシャワー孔ｈ２の孔径の平均値が上記数値限定を満たすのが好ましく、全てのシャワー孔ｈ２の孔径が上記数値限定を満たすのがより好ましい。
【０１０６】
シャワー孔ｈ２は円形とされるのが良いが、他の形状、例えば楕円又は矩形とすることもできる。また、円形のシャワー孔ｈ２と、１種以上の非円形のシャワー孔ｈ２とが併用されてもよい。円形のシャワー孔ｈ２と、２種以上の非円形のシャワー孔ｈ２とが併用されてもよい。前述の実施形態では、全てのシャワー孔ｈ２は円形である。
【０１０７】
非円形のシャワー孔ｈ２が採用される場合、そのシャワー孔ｈ２の外輪郭線は、内方への凹みが存在しない形状、例えば、楕円又は正多角形とされるのが好ましい。ここで、シャワー孔ｈ２の外輪郭線上の２つの点の距離を離間距離Ｈとする。この離間距離Ｈは、上記２点を両端とし且つ上記外輪郭線の図心を通る線分の長さである。離間距離Ｈの最大値がＨｍａｘとされ、離間距離Ｈの最小値がＨｍｉｎとされる。シャワー孔ｈ２の外輪郭線が非円形とされる場合、（Ｈｍａｘ／Ｈｍｉｎ）は、２以下が好ましく、１．５以下がより好ましく、１．２以下が更に好ましい。円形のシャワー孔ｈ２では、（Ｈｍａｘ／Ｈｍｉｎ）が１である。
【０１０８】
非円形のシャワー孔ｈ２が採用される場合、その非円形の孔と同じ面積を有する円形の直径Ｄｊが算出される。外周領域Ａ２からのシャワー吐水の吐水流速を高める観点及び水ハネ抑制の観点から、この直径Ｄｊは、０．４６ｍｍ以下が好ましく、０．３８ｍｍ以下がより好ましい。吐水流量が過少となることを防ぐ観点から、直径Ｄｊは、０．３４ｍｍ以上が好ましく、０．３８ｍｍ以上がより好ましい。
【０１０９】
［外周領域Ａ２のシャワー孔ｈ２の数］
適切な吐水流量及び吐水流速をうる観点から、シャワー孔ｈ２の数は、２２０以上が好ましく、２５０以上がより好ましい。吐水流速及び節水の観点から、シャワー孔ｈ２の数は、２５８以下が好ましい。後述される実施例では、このシャワー孔ｈ２の数は２５８とされた。
【０１１０】
［外周領域Ａ２での通水面積Ｍ２］
吐水流量が過少となることを防ぐ観点から、外周領域Ａ２での通水面積Ｍ２は、１５．０ｍｍ２以上が好ましく、１５．９ｍｍ２以上がより好ましい。適切な吐水流速をうる観点から、外周領域Ａ２での通水面積Ｍ２は、１５．９ｍｍ２以下が好ましい。後述される実施例では、この通水面積は１５．９ｍｍ２とされた。通水面積Ｍ２は、外周領域Ａ２にある全ての通水孔の孔面積の総和である。この孔面積は、吐水スクリーンの外面における面積である。
【０１１１】
［シャワー吐水の広がり形状］
後述される図１４が示すように、水平方向での吐水において、上方から見た水形幅が計測されうる。水平方向での吐水において、吐水の直進性が維持されうる状態（直進吐水状態）が設定される。例えば、吐水スクリーンからの距離が５００ｍｍである地点まで直進吐水状態とされる場合の水道水圧は、例えば、０．３ＭＰａ以上である。この直進吐水状態において、上記水平距離が２００ｍｍである地点での上記水形幅がＳ１又はＳ３とされ、上記水平距離が５００ｍｍである地点での上記水形幅がＳ２又はＳ４とされる。
【０１１２】
［内側領域Ａ１からの吐水における水形幅Ｓ１（２００ｍｍ地点）］
水ハネ抑制の観点及び着水範囲の観点から、内側領域Ａ１からのシャワー吐水における水形幅Ｓ１は、３０ｍｍ以上が好ましい。清掃効果を高める観点から、内側領域Ａ１からのシャワー吐水における水形幅Ｓ１は、４０ｍｍ以下が好ましい。後述される実施形態では、上記直進吐水状態において、水形幅Ｓ１が３３ｍｍであった。
【０１１３】
［内側領域Ａ１からの吐水における水形幅Ｓ２（５００ｍｍ地点）］
水ハネ抑制の観点及び着水範囲の観点から、内側領域Ａ１からのシャワー吐水における水形幅Ｓ２は、４７ｍｍ以上が好ましい。清掃効果を高める観点から、内側領域Ａ１からのシャワー吐水における水形幅Ｓ２は、５７ｍｍ以下が好ましい。後述される実施形態では、上記直進吐水状態において、水形幅Ｓ２が５２ｍｍであった。
【０１１４】
［外周領域Ａ２からの吐水における水形幅Ｓ３（２００ｍｍ地点）］
着水範囲を確保する観点から、外周領域Ａ２からのシャワー吐水における水形幅Ｓ３は、８８ｍｍ以上が好ましい。過度な拡散水形を防止する観点から、外周領域Ａ２からのシャワー吐水における水形幅Ｓ３は、９８ｍｍ以下が好ましい。後述される実施形態では、上記直進吐水状態において、水形幅Ｓ３が９３ｍｍであった。
【０１１５】
［外周領域Ａ２からの吐水における水形幅Ｓ４（５００ｍｍ地点）］
着水範囲を確保する観点から、外周領域Ａ２からのシャワー吐水における水形幅Ｓ４は、１６１ｍｍ以上が好ましい。過度な拡散水形を防止する観点から、外周領域Ａ２からのシャワー吐水における水形幅Ｓ４は、１７１ｍｍ以下が好ましい。後述される実施形態では、上記直進吐水状態において、水形幅Ｓ４が１６６ｍｍであった。  
【０１１６】
図１４（ａ）と図１４（ｂ）とが示すように、飛水距離が２００ｍｍ及び５００ｍｍの地点において、上記内側領域からの吐水の着水範囲は、上記外側領域からの吐水の着水範囲よりも狭い。更に、この実施形態では、飛水距離に関わらず、上記内側領域からの吐水の着水範囲は、上記外側領域からの吐水の着水範囲よりも狭い。この着水範囲は、上記直進吐水状態において判断される。
【０１１７】
吐水スクリーン１１４の材質として、ＰＯＭ（ポリアセタール）樹脂及びＡＢＳ樹脂が例示される。耐薬品性及び耐光性の観点から、ＰＯＭ（ポリアセタール）樹脂が好ましい。後述される実施例ではＰＯＭ（ポリアセタール）樹脂を用いた。
【０１１８】
外筒１０４の材質としては、印刷の定着性、溶着強度及び外観性の観点からＡＢＳ樹脂が好ましい。後述される実施例ではＡＢＳ樹脂を用いた。
【０１１９】
円筒部材ｃｄ１の材質としては、溶着強度の観点からＡＢＳ樹脂が好ましい。後述される実施例ではＡＢＳ樹脂を用いた。
【０１２０】
内筒１０６の材質としては、溶着強度及び外観の観点からＡＢＳ樹脂が好ましい。後述される実施例ではＡＢＳ樹脂を用いた。
【実施例】
【０１２１】
以下、実施例によって本発明の効果が明らかにされるが、この実施例の記載に基づいて本発明が限定的に解釈されるべきではない。
【０１２２】
［実施例］
前述した第一実施形態の散水ノズル１００を用いて、水形、吐水流量及び吐水流速に関するテストを行った。
【０１２３】
回転ポジションＲとして、「シャワー」、「ジョロ」、「ソフトジョロ」及び「清掃シャワー」が選択された。「シャワー」は、図３に示す状態（ポジションＰ１、Ｒ１）とされた。「ジョロ」は、図４に示す状態（ポジションＰ２、Ｒ２）とされた。「ソフトジョロ」は、図６に示す状態（ポジションＰ４、Ｒ４）とされた。「清掃シャワー」は、図７に示す状態（ポジションＰ５、Ｒ５）とされた。
【０１２４】
図１４（ａ）は、水平方向の吐水された「清掃シャワー」の水形（輪郭）を上方から見た図である。図１４（ｂ）は、水平方向の吐水された「シャワー」の水形（輪郭）を上方から見た図である。前述した通り、測定結果は、水形幅Ｓ１が３３ｍｍであり、水形幅Ｓ２が５２ｍｍであり、水形幅Ｓ３が９３ｍｍであり、水形幅Ｓ４が１６６ｍｍであった。このように、多様なシャワー吐水が可能であった。また、清掃等の用途において利便性が高い清掃シャワーの水形が実現された。
【０１２５】
図１５は、これら４つの回転ポジションＲにおける、水道水圧（ＭＰａ）と吐水流量（Ｌ／ｍｉｎ）との関係を示すグラフである。図１６は、これら４つの回転ポジションＲにおける、水道水圧（ＭＰａ）と吐水流速（ｍ／ｓ）との関係を示すグラフである。図１７は、回転角度と吐水流量との関係、及び、回転速度と吐水流速との関係を示すグラフである。図１７の測定において、水道水圧は０．２ＭＰａとされた。図１７では、各プロット点において、吐水流量又は吐水流速の値が付記されている。
【０１２６】
図１５が示すように、「清掃シャワー」は、吐水流量に関しては、「ジョロ」とほぼ同等であり、「シャワー」よりも少ない。一方、図１６が示すように、「清掃シャワー」の吐水流速は、「シャワー」よりも高い。このように「清掃シャワー」は、少ない吐水流量で、高い吐水流速が達成されている。よって、「清掃シャワー」は、清掃効果及び節水効果に優れる。図１５が示すように、「ジョロ」と「清掃シャワー」とは、水形及び吐水流速が大きく相違するにも関わらず、吐水流量が近似している。これは、散水ノズル１００のシャワー吐水の多様性を示している。また、図１６が示すように、４種のシャワー吐水において、多様な吐水流速が達成されている。これも、散水ノズル１００のシャワー吐水の多様性を示している。
【０１２７】
図１７が示すように、「清掃シャワー」から「ソフトジョロ」への移行において、回転角度に対する吐水流速の変化は比較的急激である。これに対して、「ソフトジョロ」から「シャワー」への移行において、回転角度に対する吐水流量の変化は比較的緩やかである。これは、「清掃シャワー」で吐水流速を高めた場合でも、吐水流量はそれほど増加しないことを意味しており、高い節水効果が示されている。また、「清掃シャワー」では、少ない吐水流量で高い吐水流速が得られ、高い清掃効果が実現されている。
【０１２８】
これらのデータからも明らかなように、本発明の優位性は明らかである。
【産業上の利用可能性】
【０１２９】
以上説明された散水ノズルは、園芸、清掃、洗車など、あらゆる用途に用いられ得る。
【符号の説明】
【０１３０】
１００・・・散水ノズル
１０２・・・本体
１０４・・・外筒
１０６・・・内筒
１０８・・・給水接続部
１１０・・・把持部
１１２・・・レバー
１１４・・・吐水スクリーン
１１８・・・円周内面
１２０・・・円錐凹面
１２２・・・供給流路
１２４・・・第一止水部
１２６・・・第二止水部
ｃｄ１・・・円筒部材
ｆｓ１・・・雌ネジ部
ｍｓ１・・・雄ネジ部
Ａ１・・・内側領域
Ａ２・・・外周領域
Ａ３・・・外縁領域
ｈ１・・・内側領域のシャワー孔
ｈ２・・・外周領域のシャワー孔
ｈ３・・・環状開口部
ｈ４・・・ストレート孔
ＷＲ１・・・第１流路
ＷＲ２・・・第２流路
ｔｈ１・・・第一通水部
ｔｈ２・・・第二通水部
ｔｈ・・・通水部
【図１】
2013081915.tif 000003
【図２】
2013081915.tif 000004
【図３】
2013081915.tif 000005
【図４】
2013081915.tif 000006
【図５】
2013081915.tif 000007
【図６】
2013081915.tif 000008
【図７】
2013081915.tif 000009
【図８】
2013081915.tif 000010
【図９】
2013081915.tif 000011
【図１０】
2013081915.tif 000012
【図１１】
2013081915.tif 000013
【図１２】
2013081915.tif 000014
【図１３】
2013081915.tif 000015
【図１４】
2013081915.tif 000016
【図１５】
2013081915.tif 000017
【図１６】
2013081915.tif 000018
【図１７】
2013081915.tif 000019